(57)【要約】【課題】用紙収容部から供給された用紙と用紙収容部に対応して設定されている設定値との間に不整合が発生しても、その不整合を設定値の入力で解消できるようにした画像形成装置を提供する。【解決手段】用紙の不整合が検出され、これに対してジョブ取り消しをしなかった場合、ジャムに対する処置の補助、用紙の設定値に合せた用紙の入れ替え（Ｓ１１３、Ｓ１１９及びＳ１２０）、及び用紙設定値を変更し且つ用紙の入れ替え（Ｓ１１３〜Ｓ１１６）に対する処置をアシストする手段を有する。【選択図】図４Ｂ
2010145634.tif 000002
【特許請求の範囲】
【請求項１】
印刷指示で指定された用紙収容部から供給された用紙と前記用紙収容部に対応して設定されている設定値との不整合を検出する検出部と、
前記設定値を変更するための設定値を入力する入力部と、
前記検出部により前記不整合が検出されたとき、前記印刷指示に基づく印刷の実行を停止すると共に前記入力部から前記設定値の入力を受け付ける設定値受付モードに入り、前記入力部から前記設定値が入力されたとき、前記用紙収容部に対応して設定されている前記設定値を前記入力部から入力された前記設定値に変更する制御部と、
を備えた画像形成装置。
【請求項２】
前記設定値受付モードに入るための操作部を更に備え、
前記制御部は、前記操作部が操作されたとき、前記設定値受付モードに入る請求項１に記載の画像形成装置。
【請求項３】
前記制御部は、前記検出部により検出された前記不整合の内容に応じて、前記入力部が入力する設定値の内容を切り換える請求項１に記載の画像形成装置。
【請求項４】
前記設定値受付モードは、前記設定値を変えないで前記用紙収容部に対する前記用紙の入れ替えを可能とする請求項１に記載の画像形成装置。
【請求項５】
前記設定値受付モードは、前記設定値を変更すると共に前記用紙収容部に対する前記用紙の入れ替えを可能とする請求項１に記載の画像形成装置。
【請求項６】
前記検出部は、前記用紙収容部から供給された用紙のサイズを検出し、
前記制御部は、前記検出部によって検出された前記用紙のサイズで前記用紙収容部に対応して設定されている設定値を書き換えて前記設定値受付モードに入る請求項１に記載の画像形成装置。
【発明の詳細な説明】
【技術分野】
【０００１】
本発明は、画像形成装置に関する。
【背景技術】
【０００２】
画像形成装置として、例えば、複合機やプリンタは、印刷を行う場合、ユーザによる印刷条件の設定に対して実際の印刷結果が一致するように、設定変更が行えるようになっているが、低価格の機種では、ユーザインターフェース（ＵＩ：User Interface）が必要最少限であったり、用紙サイズセンサを有しない場合がある。
【０００３】
このような機種では、ユーザに対して十分なサポートがなされていないため、ユーザが不整合（ミスマッチ）に気付かぬまま印刷開始要求を出してしまい、必要なサイズよりも小さい用紙に印刷されたり、逆に、必要なサイズよりも大きい用紙に印刷されることがある。
【０００４】
そこで、特許文献１に記載された印刷制御装置では、プリンタからの用紙情報に基づいて、ユーザが設定した用紙に対する不整合を判断し、ユーザに警告できるようにしている。また、特許文献２に記載された印刷制御装置では、設定変更ができる範囲を制限すると共に、設定変更できる項目と現在の設定値とを表示できるようにしている。
【特許文献１】特開２００３−３０５９２３号公報
【特許文献２】特開２００６−１１８４７号公報
【発明の開示】
【発明が解決しようとする課題】
【０００５】
本発明の目的は、用紙収容部から供給された用紙と用紙収容部に対応して設定されている設定値との間に不整合が発生しても、その不整合を設定値の入力で解消できるようにした画像形成装置を提供することにある。
【課題を解決するための手段】
【０００６】
本発明の一態様は、上記目的を達成するため、以下の画像形成装置を提供する。
【０００７】
［１］印刷指示で指定された用紙収容部から供給された用紙と前記用紙収容部に対応して設定されている設定値との不整合を検出する検出部と、前記設定値を変更するための設定値を入力する入力部と、前記検出部により前記不整合が検出されたとき、前記印刷指示に基づく印刷の実行を停止すると共に前記入力部から前記設定値の入力を受け付ける設定値受付モードに入り、前記入力部から前記設定値が入力されたとき、前記用紙収容部に対応して設定されている前記設定値を前記入力部から入力された前記設定値に変更する制御部と、を備えた画像形成装置。
【０００８】
［２］前記設定値受付モードに入るための操作部を更に備え、前記制御部は、前記操作部が操作されたとき、前記設定値受付モードに入る前記［１］に記載の画像形成装置。
【０００９】
［３］前記制御部は、前記検出部により検出された前記不整合の内容に応じて、前記入力部が入力する設定値の内容を切り換える前記［１］に記載の画像形成装置。
【００１０】
［４］前記設定値受付モードは、前記設定値を変えないで前記用紙収容部に対する前記用紙の入れ替えを可能とする前記［１］に記載の画像形成装置。
【００１１】
［５］前記設定値受付モードは、前記設定値を変更すると共に前記用紙収容部に対する前記用紙の入れ替えを可能とする前記［１］に記載の画像形成装置。
【００１２】
［６］前記検出部は、前記用紙収容部から供給された用紙のサイズを検出し、前記制御部は、前記検出部によって検出された前記用紙のサイズで前記用紙収容部に対応して設定されている設定値を書き換えて前記設定値受付モードに入る前記［１］に記載の画像形成装置。
【発明の効果】
【００１３】
請求項１に記載の発明によれば、用紙収容部から供給された用紙と用紙収容部に対応して設定されている設定値との間に不整合が発生しても、その不整合を設定値の入力で解消できるようにした画像形成装置を提供することができる。
【００１４】
請求項２に記載の発明によれば、ユーザの意思で設定値受付モードに入ることができる。
【００１５】
請求項３に記載の発明によれば、不整合の内容毎に入力部を設けた場合と比べて、入力部を簡素な構成にすることができる。
【００１６】
請求項４及び５に記載の発明によれば、設定値変更と用紙入れ替えの組合せを、希望する出力態様に応じて選択することができる。
【００１７】
請求項６に記載の発明によれば、設定値受付モードでユーザが設定値を入力しなくても済む場合もあり、入力操作を省くことが可能になる。
【発明を実施するための最良の形態】
【００１８】
（画像形成装置の構成）
図１は、本発明の実施の形態に係る画像形成装置の外観を示す正面図である。
【００１９】
この画像形成装置１００は、本実施の形態では、複写機、プリンタ、スキャナ等の複数の機能を有する複合機であるが、複写機又はプリンタでもよい。
【００２０】
画像形成装置１００は、本体部１と、本体部１の前部に装着された複数の用紙カセット２ａ〜２ｄと、本体部１の側面に設けられた開閉式の手差しトレイ３と、この手差しトレイ３の上側に設けられ、原稿が排紙される排紙トレイ４Ａと、本体部１の空間部に設けられ、印刷された用紙が排紙される排紙部４Ｂと、本体部１の上面に設けられて印刷指示情報の入力、設定値の変更及び情報表示等に用いられる操作表示部５と、本体部１の上部に設置されたＡＤＦ（自動原稿給紙装置）６とを備える。用紙カセット２ａ〜２ｄ及び手差しトレイ３は、用紙収容部の一例である。
【００２１】
本体部１は、後述する画像入力部、画像出力部、用紙供給部及び電源装置（図示せず）等を備えて構成されている。また、本体部１は、オフィス、社内等に設置された複数のパーソナルコンピュータ（ＰＣ）２００がローカルエリアネットワーク（ＬＡＮ）等のネットワーク３００により接続されている。なお、ＰＣ２００は、同図では１台のみを図示する。
【００２２】
用紙カセット２ａ〜２ｄは、本体部１に引き出し式に着脱できると共に、Ａ４、Ｂ４、Ｂ５等の異なるサイズの用紙を個別に収納可能となっている。
【００２３】
手差しトレイ３は、用紙カセット２ａ〜２ｄに収納されている用紙とは異なるサイズや普段用いないオーバーヘッドプロジェクター（ＯＨＰ）シートや色付きの用紙等を使用したいとき、用紙カセット２ａ〜２ｄに使用希望の用紙が用紙切れのとき、又は指定した用紙が用紙カセット２ａ〜２ｄに収納されていないとき等に用いられるもので、通常は、本体部１へ閉じられている。
【００２４】
排紙部４Ｂは、画像出力部により印刷された印刷紙を順次重ねるようにして受け入れる構成になっている。
【００２５】
ＡＤＦ６は、複数枚の原稿（図示せず）を一括してセット可能な原稿トレイ６０を有し、この原稿トレイ６０から原稿を１枚ずつ画像入力部の読み取り位置（図示せず）へ自動的に搬送して読み取りを行うと共に、先行の原稿の読み取りが完了すると次の原稿を原稿トレイ６０から搬送する構成を有している。
【００２６】
（操作表示部の構成）
図２は、図１の画像形成装置の操作表示部の構成例を示す平面図である。操作表示部５は、印刷動作開始の指示に用いられるスタートボタン５０と、スタートボタン５０により開始した印刷動作の中止の指示に用いられるストップボタン５１と、用紙カセット２ａ〜２ｄの用紙に関する設定を行う際に操作される用紙設定モードボタン５２と、用紙サイズ、用紙タイプ、及び印刷枚数等の設定に用いられるアップダウンボタン５３と、用紙サイズ、用紙タイプ、印刷枚数、印刷部数、エラー番号等を表示する表示部５４と、１枚の用紙に２ページ分の画像を印刷する際の指示に用いられる２ｉｎ１切替ボタン５５と、片面印刷か両面印刷かの指定に用いられる片面両面切替ボタン５６と、指定された部数を部単位により順次印刷する指示に用いられるＣｏｌｌａｔｅ切替ボタン５７とを備える。
【００２７】
スタートボタン５０は、用紙設定モードボタン５２等による設定値を確定するボタンを兼ねている。
【００２８】
表示部５４は、表示情報が限定された簡易な構成であり、例えば、７セグメントＬＥＤを用いて構成され、最大で３桁の表示が可能になっている。その一例を示すと、用紙サイズが「Ａ４」、「Ｂ５」等により、エラーが「Ｕ０１」（用紙サイズ不整合）、「Ｕ０２」（用紙タイプ不整合）等により、部数が「１」、「２」・・・等により表示できるようになっている。なお、用紙タイプとは、普通紙、オーバーヘッドプロジェクター（ＯＨＰ）シートの区別を言う。上記の様に、エラーは番号で表示されるため、画像形成装置１００の取り扱いに不慣れな人には理解できない。そこで、画像形成装置１００にはマニュアルが添付されている。
【００２９】
２ｉｎ１切替ボタン５５、片面両面切替ボタン５６及びＣｏｌｌａｔｅ切替ボタン５７は、共に押下する度に指定内容が切り替わるように構成されており、内部にＬＥＤを内蔵し、それぞれが２ｉｎ１の指定、両面印刷の指定及びＣｏｌｌａｔｅの指定に対応して点灯するようになっている。
【００３０】
（制御装置の構成）
図３は、図１の画像形成装置が有する制御装置の構成例を示すブロック図である。制御装置１０は、上記操作表示部５と、この操作表示部５に接続されたコントローラ７とからなり、画像形成装置１００の本体部１に内蔵されている。
【００３１】
コントローラ７は、制御部７１、用紙検出部７２及び印刷条件記憶部７３を備えて構成されている。また、制御部７１には、ＡＤＦ６、画像入力部８、画像出力部９及び用紙供給部１１が接続されている。
【００３２】
画像入力部８は、ＡＤＦ６から画像読取位置に到達した原稿又はユーザによって画像読取位置にセットされた原稿をリニアイメージセンサ等によって光学的にスキャンし、光電変換した信号を生成する構成を有している。
【００３３】
画像出力部９は、半導体レーザ、光学系、感光ドラム等からなり、用紙給紙部１１から給紙された用紙の一方の面にトナー画像を形成する印刷機構（図示せず）と、印刷機構から出力された用紙上のトナー画像を定着させる定着機構（図示せず）とを備える。
【００３４】
用紙供給部１１は、画像形成のタイミングに合わせて用紙カセット２ａ〜２ｄ（又は手差しトレイ３）から用紙を１枚ずつ払い出して画像出力部９へ給紙するように構成されている。
【００３５】
印刷条件記憶部７３は、半導体メモリ等から構成され、用紙収容部としての用紙カセット２ａ〜２ｄ及び手差しトレイ３に対応して用紙サイズ、用紙タイプ等の用紙情報を含む印刷条件が記憶されている。
【００３６】
用紙検出部７２は、用紙カセット２ａ〜２ｄ及び手差しトレイ３のいずれかから搬出された用紙が検出位置を通過する際、用紙の先端通過から後端通過までの時間を検出するとともに、用紙を透過又は反射する光量を検出する用紙検出センサを備える。用紙検出センサは、透過型、反射型のいずれでもよい。
【００３７】
制御部７１は、ＣＰＵ７１０、ＲＯＭ７１１、ＲＡＭ７１２、インターフェース回路（図示せず）等からなるマイクロコンピュータを用いて構成されている。ＣＰＵ７１０は、ＲＯＭ７１１に書き込まれたプログラムに従ってＡＤＦ６、画像入力部８、画像出力部９及び用紙供給部１１を制御する。
【００３８】
ＣＰＵ７１０は、用紙検出部７２が検出した用紙の先端通過から後端通過までの時間の計測結果に基づいて用紙サイズを検知し、それが印刷指示で指定された用紙カセット２ａ〜２ｄ及び手差しトレイ３に対応して印刷条件記憶部７３に記憶されている用紙サイズの設定値と不整合の場合には、用紙サイズ不整合と判定し、その旨のエラーを操作表示部５の表示部５４に表示する。ここで、「印刷指示」には、ユーザの操作に基づく操作表示部５からの印刷指示と、ＰＣ２００からの印刷指示とがある。印刷指示には、用紙カセット２ａ〜２ｄ及び手差しトレイ３の指定が含まれる。
【００３９】
また、ＣＰＵ７１０は、用紙検出部７２が用紙の後端通過を一定時間以上検出できなかったとき、ジャムを検出し、その旨のエラーを操作表示部５の表示部５４に表示する。
【００４０】
また、ＣＰＵ７１０は、用紙検出部７２の用紙検出センサが検出した光量に基づいて用紙タイプを検知し、それが印刷指示で指定された用紙カセット２ａ〜２ｄ及び手差しトレイ３に対応して印刷条件記憶部７３に記憶されている用紙タイプと不整合の場合には、用紙タイプ不整合と判定し、その旨のエラーを操作表示部５の表示部５４に表示する。なお、用紙検出センサが透過型の場合には、受光素子が受光した光量が規定値よりも大きいとき、用紙タイプがＯＨＰシートであると検知し、受光素子が受光した光量が規定値以下のとき、用紙タイプが普通紙であると検知することができる。また、用紙検出センサが反射型の場合には、受光素子が受光した光量が規定値よりも小さいとき、用紙タイプがＯＨＰシートであると検知し、受光素子が受光した光量が規定値以上のとき、用紙タイプが普通紙であると検知することができる。
【００４１】
（一般的な複合機）
ここで、画像形成装置１００の動作を説明する前に、一般的な複合機を概説する。複合機では、設定値と実際の用紙とが異なることによりミスマッチを検出すると、動作を停止する。例えば、給紙した用紙が設定値より大きい場合にジャムになり、設定値より用紙サイズが小さい場合や用紙タイプが違う場合等では、該当する用紙を排出後に停止することが多い。この様なエラーに対し、ユーザが何らかの対応をしない限り、再び同様のエラーを引き起こすことになる。
【００４２】
低価格な複合機の場合、用紙カセットに格納されている用紙サイズ等をユーザに分かり易い様に表示する機能が省かれているため、ユーザは用紙の選択を不確実に行っていることが多い。例えば、複合機を複写機として用いる場合、頻繁に利用しているのであれば、通常、各用紙カセットに入っている用紙のサイズは固定されている。そこで、ユーザは、この状態を想定してトレイを選択する。つまり、ユーザは複合機から出力したい用紙サイズを主体に考えている。また、ユーザは、用紙カセットに入っている用紙を確認した後、その用紙カセットから出力しようとする場合もある。このような場合、ユーザが望むのは実際に用紙カセットに入っている用紙サイズであり、複合機に表示された用紙サイズの設定値ではない。
【００４３】
一方、複合機をプリンタとして用いる場合、パーソナルコンピュータからの電子文書を出力することが多いが、この場合、電子文書に出力用紙のサイズが設定されていることが多い。従って、ユーザは用紙サイズを特に意識することはなく、電子文書そのもので用紙サイズを指定する。仮に、電子文書に設定された用紙サイズと複合機の用紙サイズとが相違した場合、出力はされない。この場合、出力されるようにするためには、ユーザが、設定値と同一の用紙を用紙カセットにセットする作業が必要になる。以上の様な不具合を解消したのが本実施の形態であり、その詳細について以下に説明する。
【００４４】
（画像形成装置の動作）
図４Ａ及び図４Ｂは、画像形成装置の動作を示すフローチャートである。なお、図４Ｂは図４Ａに続く処理を示している。また、図４Ａ及び図４Ｂに示す処理は、制御部７１のＲＯＭ７１１に格納されているプログラムに従って実行される。
【００４５】
例えば、原稿等の文書の複写を用紙カセット２ａ〜２ｄに収納されている用紙を用いて画像形成装置１００により行う場合、ユーザは、原稿をＡＤＦ６の原稿トレイ６０にセットした後、必要に応じて操作表示部５の各ボタンを操作し、複写枚数、印刷部数、片面・両面、用紙サイズ等の印刷指示情報を入力する。次に、ユーザは、操作表示部５のスタートボタン５０を押下して印刷指示を行い、画像形成装置１００に印刷動作を開始させる。
【００４６】
画像形成装置１００は、印刷動作を実行する過程で、設定された用紙サイズ及び用紙タイプと用紙カセット２ａ〜２ｄ内の用紙サイズ及び用紙タイプとの不整合や、印刷完了までジャム等のエラーが発生しなければ（Ｓ１０１：Ｎｏ）、指定通りに複写処理（印刷処理）を実行する（Ｓ１０２）。また、エラーが発生すると（Ｓ１０１：Ｙｅｓ）、表示部５４にエラー内容を番号で表示すると共に印刷動作を停止する（Ｓ１０３）。ユーザは、表示部５４に表示されたエラー内容を見て、ジョブを取り消して（Ｓ１０４：Ｙｅｓ）やり直しをするか（Ｓ１０５）、エラーに対応した処理を行うか（Ｓ１０４：Ｎｏ）、画像形成装置１００の使用を諦めるかを決定する。ここでは、ユーザがエラーに対応した処理を行うものとする。なお、制御部７１は、例えば一定時間が経過したことをもってジョブ取り消しが無いものと判定する（Ｓ１０４：Ｎｏ）。
【００４７】
ジャムが検出されていれば（Ｓ１０６：Ｙｅｓ）、上記ステップＳ１０３で表示部５４にジャム発生を示すエラー表示がなされており、この表示を見たユーザは、ジャムを生じている用紙を画像形成装置１００の内部から除去する（Ｓ１０７）。また、ジャム無しの場合（Ｓ１０６：Ｎｏ）、ユーザは用紙設定モードボタン５２を押下する（Ｓ１０８）。この用紙設定モードボタン５２の押下により設定値受付モードに遷移する。
【００４８】
設定値受付モードに遷移すると、制御部７１は、不整合の内容を判定する（Ｓ１０９）。用紙サイズの不整合が判定された場合は（Ｓ１０９：サイズミスマッチ）、設定値受付モードで入力される設定値は用紙サイズの設定となり（Ｓ１１０）、用紙タイプの不整合と判定された場合（Ｓ１０９：メディアミスマッチ）、設定値受付モードで入力される設定値はメディアタイプ（用紙タイプ）の設定となる（Ｓ１１１）。
【００４９】
次に、制御部７１は、現在の設定値をデフォルトの入力値として印刷条件記憶部７３に設定する（Ｓ１１２）。
【００５０】
図５は、画像形成装置におけるサイズ不整合の事例を示し、（ａ）は事例１を説明するための図、（ｂ）は事例２を説明するための図である。
【００５１】
図４の処理では、表示部５４における用紙の表示と用紙カセット２ａ〜２ｄに収納されている用紙との関係により、図５（ａ），（ｂ）に示す対応が存在する。すなわち、上記ステップＳ１１２の後、ユーザが用紙の設定値を変えずに用紙を入れ替えるか否かを判断する（Ｓ１１３）。このような判断は、画像形成装置１００をプリンタとして用いた場合に発生し易い。
【００５２】
図５（ａ）に示す［事例１］は、用紙サイズ不整合に対して用紙を入れ替える事例である。表示部５４に用紙サイズ不整合を示すエラーの表示「Ｕ０１」がされた後、表示部５４に用紙サイズの設定値「Ａ３」が表示されているが、用紙カセット２ａ〜２ｄのいずれにもＡ３紙がセットされていない。そこで、ユーザは、Ａ３紙で印刷が行えるように、用紙カセット２ａ〜２ｄのいずれかに収納されているＡ４の用紙をＡ３紙に入れ替える（Ｓ１１３：Ｙｅｓ、Ｓ１２０）。この処置に対し、制御部７１は、デフォルトの値（Ａ３）で設定値を確定する（Ｓ１２１）。つまり、用紙サイズを「Ａ３」で確定する。これにより、表示部５４の表示は「Ａ３」のままとなる。
【００５３】
次に、図５（ｂ）に示す［事例２］は、用紙サイズ不整合に対して設定値を変更し、かつ、用紙を入れ替える事例である。表示部５４に用紙サイズ不整合を示すエラーの表示「Ｕ０１」がされた後、表示部５４に用紙サイズの設定値「Ａ３」が表示されているが、用紙カセット２ａ〜２ｄのいずれにもＡ３紙がセットされていない。そこで、ユーザは、まず、操作表示部５の用紙設定モードボタン５２及びアップダウンボタン５３を操作して用紙サイズをＡ４に変更する（Ｓ１１４）。次に、ユーザが用紙カセット２ａ〜２ｄの１つにＡ４紙を入れ替えると（Ｓ１１５：Ｙｅｓ、Ｓ１１６）、制御部７１は、上記ステップＳ１１４における変更後の設定値（Ａ４）で確定する（Ｓ１１７）。なお、上記ステップＳ１１５において、ユーザによる用紙の入れ替えがなかった場合（Ｓ１１５：Ｎｏ）、コントローラ７は、変更後の設定値（Ａ４）で確定する（Ｓ１１７）。
【００５４】
上記ステップＳ１１７又はＳ１２１により用紙の設定値が確定されると、制御部７１によるエラー処理は終了する（Ｓ１１８）。その後、操作表示部５のスタートボタン５０を押下すれば、用紙が整合（マッチ）しているためにエラーは発生せず、交換後の用紙により印刷処理が実行される（Ｓ１１９）。
【００５５】
［他の実施の形態］
なお、本発明は、上記実施の形態に限定されず、その要旨を変更しない範囲内で種々な変形が可能である。例えば、エラー検出は、用紙検出部７２により行うものとしたが、他の検出手段により行うことも可能である。
【００５６】
また、設定値の確定は、スタートボタン５０の操作によるものとしたが、他のボタンの操作、例えば、アップダウンボタン５３を「長押し」する等による構成にしてもよい。
【００５７】
なお、図５に示した用紙サイズの組合せは一例にすぎず、画像形成装置１００で使用可能な用紙の範囲内で、任意の組合せが可能である。
【００５８】
上記実施の形態において、上記ステップＳ１０６、Ｓ１１３及びＳ１１５等の処理は、ユーザが次に取りうる手順（処置）を制御部７１により、数字、記号、及びこれらの組合せ等による表示を表示部５４に行ってもよい。
【００５９】
また、用紙検出部が検出した用紙の先端通過から後端通過までの時間に基づいて、実際に用紙カセット２ａ〜２ｄに格納されている用紙のサイズを予想し、それをデフォルトとして印刷条件記憶部７３の記憶内容を書き換えるとともに、予想したサイズを表示部５４に表示して設定値受付モードに遷移してもよい。更に、予想した用紙のサイズを次の選択で表示するようにしてもよい。
【００６０】
また、実際の用紙のサイズを予想したものが複数存在する場合、可能性の高いものから選択に応じて表示するようにしてもよい。
【図面の簡単な説明】
【００６１】
【図１】図１は、本発明の実施の形態に係る画像形成装置を示す正面図である。
【図２】図２は、図１の画像形成装置の操作表示部の構成例を示す平面図である。
【図３】図３は、図１の画像形成装置が有する制御装置の構成例を示すブロック図である。
【図４Ａ】図４Ａは、画像形成装置の動作を示すフローチャートである。
【図４Ｂ】図４Ｂは、図４Ａに続く処理を示すフローチャートである。
【図５】図５は、画像形成装置における不整合の事例を示し、（ａ）は事例１を説明するための図、（ｂ）は事例２を説明するための図である。
【符号の説明】
【００６２】
１…本体部、２ａ〜２ｄ…用紙カセット、３…手差しトレイ、４Ａ…排紙トレイ、４Ｂ…排紙部、５…操作表示部、６…ＡＤＦ、７…コントローラ、８…画像入力部、９…画像出力部、１０…制御装置、１１…用紙供給部、５０…スタートボタン、５１…ストップボタン、５２…用紙設定モードボタン、５３…アップダウンボタン、５４…表示部、５５…２ｉｎ１切替ボタン、５６…片面両面切替ボタン、５７…Ｃｏｌｌａｔｅ切替ボタン、６０…原稿トレイ、７１…制御部、７２…用紙検出部、７３…印刷条件記憶部、１００…画像形成装置、２００…ＰＣ、３００…ネットワーク、７１０…ＣＰＵ、７１１…ＲＯＭ、７１２…ＲＡＭ
【図１】
2010145634.tif 000003
【図２】
2010145634.tif 000004
【図３】
2010145634.tif 000005
【図４Ａ】
2010145634.tif 000006
【図４Ｂ】
2010145634.tif 000007
【図５】
2010145634.tif 000008